(57)【要約】      （修正有）【課題】輸送の際の振動に対して収納物を有効に保護することができ長距離輸送に適しており、且つ、低コストで製造可能な包装容器を提供する。【解決手段】合成樹脂シートより成形され、周面部１４と、周面部に連設された第一の底面部１５とを有し、上部に開口部が形成され、所定の深さ寸法を備えた外容器１１と、周面部と、周面部に連設された第二の底面部１８とを有し、収納物が収納される収納凹部１９が形成され、開口部周縁には外方へ延出するフランジ部２１が設けられ、フランジ部により外容器の内方に、第二の底面部が第一の底面部との間に間隙を形成して収納されるように形成された内容器１２とを備え、外容器の周面部下端部には、収納された内容器の第二の底面部との間に、高さ方向に沿って蛇腹状の衝撃振動吸収部２４が設けられている。【選択図】図３
0003198954.tif 000002
【実用新案登録請求の範囲】
【請求項１】
合成樹脂シートより成形され、周面部と、前記周面部に連設された第一の底面部とを有し、上部に開口部が形成され、所定の深さ寸法を備えた外容器と、
周面部と、前記周面部に連設された第二の底面部とを有し、収納物が収納される収納凹部が形成され、前記開口部周縁には外方へ延出するフランジ部が設けられ、前記フランジ部により前記外容器の内方に、前記第二の底面部が前記第一の底面部との間に間隙を形成して収納されるように形成された内容器とを備え、
前記外容器の周面部下端部には、前記収納された内容器の第二の底面部との間に、高さ方向に沿って蛇腹状の衝撃振動吸収部が設けられていることを特徴とする包装容器。
【請求項２】
前記外容器及び前記内容器は、前記開口部が平面略方形状に形成され、前記内容器の深さ寸法は、前記外容器の深さ寸法よりも小さい深さ寸法に形成されており、前記衝撃振動吸収部は、下方に至るに従って小さい長さ寸法及び幅寸法に形成されていることを特徴とする請求項１に記載の包装容器。
【請求項３】
前記衝撃振動吸収部は、複数段に亘る階段状の段部により形成されていることを特徴とする請求項２に記載の包装容器。
【請求項４】
前記外容器及び前記内容器は、前記周面部が前記第一の底面部又は前記第二の底面部に至るに従って長さ寸法及び幅寸法が小さくなるように側面テーパ状に形成されていることを特徴とする請求項３に記載の包装容器。
【請求項５】
前記内容器の周面部には、周方向に沿って複数本のリブが形成された補強部が設けられており、前記内容器の周面部上端部には、高さ方向に沿って蛇腹状の内容器衝撃振動吸収部が設けられていることを特徴とする請求項４に記載の包装容器。
【請求項６】
さらに、前記内容器の底面部に敷き詰められる発泡材料より形成されたシートを備えることを特徴とする請求項５に記載の包装容器。
【請求項７】
前記収納物は苺であることを特徴とする請求項１〜６の何れか１項に記載の包装容器。
【考案の詳細な説明】
【技術分野】
【０００１】
本考案は、例えば、果実等の輸送用の包装容器の改良に関する。
【背景技術】
【０００２】
従来より、果実は果肉が柔らかいため接触により傷みやすく、衝撃等の外部からの圧力により変色してしまうことから、輸送段階において商品価値が低下してしまい長距離輸送が難しいとされてきた。
【０００３】
なかでも、苺は特に傷みやすく、衝撃等により損傷した個所は黒色に変色してしまうため、商品価値を低下させずに長距離輸送をするためには、苺への衝撃を充分に緩和することのできる優れた緩衝効果を奏する包装容器が必要とされていた。
【０００４】
このような包装容器としては、例えば、特許文献１のような苺の包装容器がある。特許文献１の苺の包装容器は、合成樹脂製の発砲体からなり上面が開口され底部に透孔が設けられた箱状の容器において、該容器の内側底面に凸条を連続して形成されている。
【０００５】
特許文献１の苺の包装容器は、該容器の内側底面に凸条を連続して形成したことにより、苺を容器底面や側壁内面に係止させ、苺自身が大きく移動したり細かく振動するのを防止して、収納された苺同士が押圧し合ったり擦れ合ったりして発生する傷を未然に防止できる。
【０００６】
しかしながら、特許文献１の苺の包装容器は、１つの発泡体の包装容器から構成されているため、例えば、輸送の際の振動を吸収する効果は限られたものであった。輸送の際の振動に強い包装容器が望まれていた。
【０００７】
このような作用を奏し得る包装容器としては、例えば、特許文献２の搬送兼陳列用包装容器がある。特許文献２の搬送兼陳列用包装容器は、不織布製の内装体に果物等を収容した状態において、外容器に宙吊り状態に保持されるため、緩衝作用を奏する。
【０００８】
しかしながら、特許文献２の搬送兼陳列用包装容器に用いられる不織布製内装体は、性質の異なる不織布を複合一体化させて２層に形成されており、製造コストが大きくなってしまうという不具合があった。
【特許文献１】公開特許第平１１−２２２２８２号公報
【特許文献２】公開特許第２００１−４８２６３号公報
【考案の開示】
【考案が解決しようとする課題】
【０００９】
そこで、本考案は、このような従来の要請に基づくものであって、輸送の際の振動に対して収納物を有効に保護することができ長距離輸送に適しており、且つ、低コストで製造可能な包装容器を提供すること。
【課題を解決するための手段】
【００１０】
前記課題を解決するために、請求項１に記載の包装容器にあっては、合成樹脂シートより成形され、周面部と、前記周面部に連設された第一の底面部とを有し、上部に開口部が形成され、所定の深さ寸法を備えた外容器と、周面部と、前記周面部に連設された第二の底面部とを有し、収納物が収納される収納凹部が形成され、前記開口部周縁には外方へ延出するフランジ部が設けられ、前記フランジ部により前記外容器の内方に、前記第二の底面部が前記第一の底面部との間に間隙を形成して収納されるように形成された内容器とを備え、前記外容器の周面部下端部には、前記収納された内容器の第二の底面部との間に、高さ方向に沿って蛇腹状の衝撃振動吸収部が設けられていることを特徴とする。
【００１１】
従って、請求項１に記載の包装容器は、前記外容器の周面部下端部には、前記収納された内容器の第二の底面部との間に、高さ方向に沿って蛇腹状の衝撃振動吸収部が設けられていることから、包装容器の下方からの衝撃や振動を、蛇腹状の衝撃振動吸収部がバネのように撓むことにより吸収して低減することができる。
【００１２】
請求項２に記載の包装容器にあっては、前記外容器及び前記内容器は、前記開口部が平面略方形状に形成され、前記内容器の深さ寸法は、前記外容器の深さ寸法よりも小さい深さ寸法に形成されており、前記衝撃振動吸収部は、下方に至るに従って小さい長さ寸法及び幅寸法に形成されていることを特徴とする。
【００１３】
従って、請求項２に記載の包装容器は、前記内容器の深さ寸法は、前記外容器の深さ寸法よりも小さい深さ寸法に形成されていることから、内容器の開口部はフランジ部によって、外容器の開口部と略同一の高さに保持されて、且つ内容器と外容器の深さ寸法の違いによって第二の底面部の全面が第一の底面部から離間して配される。
【００１４】
請求項３に記載の包装容器にあっては、前記衝撃振動吸収部は、複数段に亘る階段状の段部により形成されていることを特徴とする。
【００１５】
従って、請求項３に記載の包装容器は、前記衝撃振動吸収部は、複数段に亘る階段状の段部により形成されていることから、周面部に沿って高さ方向に蛇腹状の衝撃振動吸収部が形成される場合に比べて、衝撃振動吸収部は、収納物の重量により収縮してしまうことを防ぐことができる。
【００１６】
請求項４に記載の包装容器にあっては、前記外容器及び前記内容器は、前記周面部が前記第一の底面部又は前記第二の底面部に至るに従って長さ寸法及び幅寸法が小さくなるように側面テーパ状に形成されていることを特徴とする。
【００１７】
従って、請求項４に記載の包装容器は、前記外容器及び前記内容器は、前記周面部が前記第一の底面部又は前記第二の底面部に至るに従って長さ寸法及び幅寸法が小さくなるように側面テーパ状に形成されていることから、同形状に形成された複数の外容器あるいは内容器を互いに重ねることができる。
【００１８】
請求項５に記載の包装容器にあっては、前記内容器の周面部には、周方向に沿って複数本のリブが形成された補強部が設けられており、前記内容器の周面部上端部には、高さ方向に沿って蛇腹状の内容器衝撃振動吸収部が設けられていることを特徴とする。
【００１９】
従って、請求項５に記載の包装容器は、前記内容器の周面部には、周方向に沿って複数本のリブが形成された補強部が設けられていることから、座屈強度を大きくすることができる。
【００２０】
また、前記内容器の周面部上端部には、高さ方向に沿って蛇腹状の内容器衝撃振動吸収部が設けられていることから、包装容器に外部からの上下動が加わった際に内容器衝撃振動吸収部が撓むことにより、収納物への衝撃や振動を軽減することができる。
【００２１】
請求項６に記載の包装容器にあっては、請求項５に記載の包装容器において、さらに、前記内容器の底面部に敷き詰められる発泡材料より形成されたシートを備えることを特徴とする。
【００２２】
従って、請求項６に記載の包装容器は、前記内容器の底面部に敷き詰められる発泡材料より形成されたシートを備えることから、収納物は前記シート上に載置されて収納されるため、前記シートの弾力性により包装容器外方からの衝撃を低減することができる。
【００２３】
請求項７に記載の包装容器にあっては、前記収納物は苺であることを特徴とする。
【考案の効果】
【００２４】
請求項１に記載の包装容器にあっては、包装容器の下方からの衝撃や振動を、蛇腹状の振動吸収部がバネのように撓むことにより吸収して低減することができるため、車両等による輸送の際の振動に対して収納物を有効に保護することができるため、例えば、衝撃や振動により傷みやすい果実等であっても劣化を低減して長距離輸送を行うことができる。
【００２５】
また、容器の形状により、衝撃や振動を吸収することから、多数の部品点数や複雑な材料の貼り合わせ構造などは不要であり、低コストに製造することができる。
【００２６】
請求項２に記載の包装容器にあっては、内容器と外容器の深さ寸法の違いによって第二の底面部の全面が第一の底面部から離間して配されるため、包装容器下方からの衝撃や振動を内容器に収納された収納物へと伝達しにくく、より収納物を有効に保護することができる。
【００２７】
請求項３に記載の包装容器にあっては、衝撃振動吸収部は、収納物の重量により収縮してしまうことを防ぐことができる。ここで、蛇腹状の衝撃振動吸収部は、完全に収縮してしまった状態においては、衝撃や振動を吸収する能力が極端に低下してしまう。
【００２８】
従って、請求項３に記載の包装容器は、衝撃振動吸収部は、複数段に亘る階段状の段部により形成されているため、収納物を収納した状態において、充分な衝撃や振動の吸収能力を備え、苺等の比較的重量のある果物を収納した場合であっても、劣化を低減しながら長距離輸送を行うことができる。
【００２９】
請求項４に記載の包装容器にあっては、同形状に形成された複数の外容器あるいは内容器を互いに重ねることができることから、収納物を収納しない際には、重ねて保管することにより保管状態の体積を小さくでき、保管場所を有効利用できる。
【００３０】
請求項５に記載の包装容器にあっては、座屈強度を大きくすることができるため、包装容器外方から深さ方向に沿って衝撃が加わった際に、内容器の周面部が座屈せずに収納物を保護することができる。
【００３１】
また、包装容器に外部からの上下動が加わった際に内容器衝撃振動吸収部が撓ることにより、収納物への衝撃や振動を軽減することができることから、例えば、果物を車両等によって長距離輸送する際に収納物の劣化を低減することができる。
【００３２】
請求項６に記載の包装容器にあっては、収納物は前記シート上に載置されて収納されるため、前記シートの弾力性により包装容器外方からの衝撃を低減することができることから、例えば、果物を車両等によって長距離輸送する際に収納物の劣化を低減することができる。
【００３３】
請求項７に記載の包装容器にあっては、請求項１〜６の何れか１項に記載の包装容器であって、前記収納物は苺であり、より衝撃や振動による劣化が大きい苺を有効に保護して輸送することができる。
【図面の簡単な説明】
【００３４】
【図１】図１は、本考案に係る包装容器の一実施の形態を示し、（ａ）は外容器の平面図、（ｂ）は外容器の横断面図、（ｃ）は外容器の縦断面図である。
【図２】図２は、本考案に係る包装容器の一実施の形態を示し、（ａ）は内容器の平面図、（ｂ）は内容器の横断面図、（ｃ）は内容器の縦断面図である。
【図３】図３は、本考案に係る包装容器の一実施の形態を示し、発泡材料シートを敷き詰めた内容器を外容器の内方に重ねた状態を示す縦断面図である。
【考案を実施するための最良の形態】
【００３５】
以下、本考案に係る包装容器を実施の形態に基づき、図面を参照して詳細に説明する。
【００３６】
本実施の形態に係る包装容器１０は、外容器１１と、内容器１２と、内容器１２内方に敷き詰められるシート１３より構成されている。
【００３７】
図１に示すように、外容器１１は、合成樹脂シートより成形され、周面部１４と、周面部１４に連設された第一の底面部１５とを有し、上部に開口部１６が形成され、深さ寸法Ｌは４８ｍｍである。開口部１６周縁には外方へ延出するフランジ部３０が形成されており、フランジ部３０は、断面弓状に湾曲して形成されている。本実施の形態においては、第一の底面部１５は、中央部は周縁部よりも高く台状に形成されている。
【００３８】
図２に示すように、内容器１２は、周面部１７と、周面部１７に連設された第二の底面部１８とを有し、収納物３３が収納される収納凹部１９が形成され、開口部２０周縁には外方へ延出するフランジ部２１が設けられている。
【００３９】
図３に示すように、フランジ部２１により外容器１１の内方に、第二の底面部１８が第一の底面部１５との間に間隙２２を形成して収納されるように形成されている。本実施の形態においては、フランジ部２１は、断面半円形状に形成されている。
【００４０】
図１及び図２の（ｂ）及び（ｃ）に示すように、外容器１１及び内容器１２は、周面部１４，１７が其々、第一の底面部１５又は第二の底面部１８に至るに従って長さ寸法及び幅寸法が小さくなるように側面テーパ状に形成されていると共に、開口部１６，２０は平面略方形状に形成されている。
【００４１】
図３に示すように、内容器１２の深さ寸法Ｌ１は４３ｍｍに形成されており、外容器１１の深さ寸法Ｌよりも小さい深さ寸法Ｌ１に形成されることにより、第二の底面部１８が第一の底面部１５との間に凡そ５ｍｍの間隔寸法Ｌ２からなる間隙２２を形成している。また、本実施の形態においては、外容器１１の周面部１４と、内容器１２の周面部１７との間にも間隙３２が形成されている。
【００４２】
図１及び図３に示すように、外容器１１の周面部下端部２３には、収納された内容器１２の第二の底面部１８との間に、高さ方向に沿って蛇腹状の衝撃振動吸収部２４が設けられている。本実施の形態においては、衝撃振動吸収部２４は、下方に至るに従って小さい長さ寸法及び幅寸法となるように、４段に亘る階段状の段部２５により形成されている。
【００４３】
図２（ａ）及び（ｃ）に示すように、内容器１２の周面部１７には、周方向に沿って複数本のリブ２６が配列されて形成された補強部２７が設けられており、図２（ｂ）に示すように、内容器１２の周面部上端部２８には、高さ方向に沿って蛇腹状の内容器衝撃振動吸収部２９が設けられている。
【００４４】
本実施の形態においては、図２（ａ）に示すように、各リブ２６は内容器１２深さ方向に沿って形成され、周面部１７の周方向全域に亘って連続して、内容器１２の内方に向って突出する横断面波型の突条として構成されており、周面部１７から第二の底面部１８の周縁にかけて形成されている。また、内容器衝撃振動吸収部２９は、周面部１７の周方向全域に沿って形成された２段に亘る階段状の段部３１により形成されている。
【００４５】
本実施の形態においては、外容器１１及び内容器１２は、其々厚さ寸法０．２ｍｍのポリエチレンテレフタレートシートを材料として、前記所定形状に成形することにより形成されている。
【００４６】
内容器１２には、内容器１２の第二の底面部１８に敷き詰められる発泡材料より形成されたシート１３を備えている。本実施の形態においては、シート１３は高発泡ポリエチレンシートである。
【００４７】
以下、本実施の形態に係る包装容器１０の作用について、図面を参照して詳細に説明する。
【００４８】
本実施の形態に係る包装容器１０は、以上のように構成されていることから、使用する際には、まず、内容器１２の第二の底面部１８にシート１３を敷き詰めて、シート１３上に複数の苺３３を並べて収納する。
【００４９】
次に、図３に示すように、苺３３を収納した内容器１２を、内容器１２のフランジ部２１と外容器１１のフランジ部３０が互いに重なるように、外容器１１の上部より重ねる。輸送の際には、プラスチック製のリユース容器や段ボール等も利用可能である。
【００５０】
従って、例えばトラック輸送を行う際には、包装容器１０に対して左右又は上下方向の様々な衝撃や振動が加わることになるが、包装容器１０の下方からの衝撃や振動を、蛇腹状の衝撃振動吸収部２４がバネのように撓むことにより吸収して低減することができる。
【００５１】
また、第二の底面部１８の全面が第一の底面部１５から凡そ５ｍｍ離間して配されることから、包装容器１０の下方からの衝撃や振動を間隙２２において緩和することができる。同様に、周面部１４，１７の間に形成された間隙３２によりトラックの揺れによる左右方向の衝撃や振動を緩和することができる。
【００５２】
包装容器１０にトラックからの上下動が加わった際には、内容器衝撃振動吸収部２９の各段部３１が撓むことにより、苺３３への衝撃や振動を軽減することができる。また、苺３３は高発泡ポリエチレンのシート１３上に載置されることより、シート１３によっても衝撃や振動を和らげることができる。
【００５３】
その結果、包装容器１０によれば苺３３を包装容器１０に収納して搬送する際に包装容器１０に衝撃や振動が作用した場合であっても、苺３３への衝撃や振動の作用を緩和、軽減することができるため、衝撃や振動にデリケートな苺３３であっても商品価値を低下させることなく搬送することができる。
【００５４】
本実施の形態においては、収納物は苺である例を説明したが、これに限定されることはなく、例えば、無花果等の他の果実でも良いし、ガラス製品、精密機械部品、電子部品、医療品、化粧品であっても良い。
【産業上の利用可能性】
【００５５】
本考案に係る包装容器は、製造販売することにより、例えば果実等を収納して輸送用の容器として用いることができるため産業上利用可能性を有している。
【符号の説明】
【００５６】
１０    包装容器
１１    外容器
１２    内容器
１３    シート
１４    周面部
１５    第一の底面部
１６    開口部
１７    周面部
１８    第二の底面部
１９    収納凹部
２０    開口部
２１    フランジ部
２２    間隙
２３    周面部下端部
２４    衝撃振動吸収部
２５    段部
２６    リブ
２７    補強部
２８    周面部上端部
２９    内容器衝撃振動吸収部
３０    フランジ部
３１    段部
３２    間隙
３３    収納物（苺）
【図１】
0003198954.tif 000003
【図２】
0003198954.tif 000004
【図３】
0003198954.tif 000005